(57)【特許請求の範囲】
【請求項１】
雌型電気接点部材を電気良導体の金属片から形成しかつ多少の弾性を有する第１部材（１）から構成し、第１部材（１）には第１部材を切り出しかつ屈曲させて一端にカシメ耳部（２，３）を備えかつ他端に雄型電気接点部材（８２）を把持するためのクランプ（９）を形成するようにした２つの弾性杆（７，８）を設けた中央の円形断面形状の部分（１０）を形成し、電気良導体であって多少の弾性を有する金属片から形成した係合部材（３０）を第１部材（１）の中央部分（１０）に取付け、係合部材（３０）には係合部材を切り出しかつ屈曲させて第１部材の円形断面形状の部分（１０）を収容する円形断面形状を設けると共に第１部材の弾性作用を強化するように第１部材の弾性杆（７，８）に対して支持するようにした２つの杆（４９，５０）を備え、雄型電気接点部材（８２）用の係合ケーシング部材（８３）に嵌合可能にしたケーシング部材（７１）には雌型電気接点部材を各々受容するようにした溝（７５）を備えると共に雌型電気接点部材を係止するための係止手段を設け、該係止手段を雌型電気接点部材が所定位置に位置決めされる準備位置と雌型電気接点部材が固定される係止位置とに移動可能とし、第１部材の弾性杆（７，８）を平らにし、係合部材（３０）には第１部材（１）のカシメ耳片（２，３）に対向する自由端に弾力的に撤退する保持舌片（４６）を設けると共に第１部材（１）のカシメ耳片（２，３）と反対側の自由端に少なくとも２つの角度的にずれた打ち出し部（４５）を形成し、ケーシング部材（７１）の各溝（７５）には打ち出し部（４５）を案内するための少なくとも２つの溝（１０１）を備え、係合部材（３０）には第１部材の弾性杆（７，８）の突起（１７，１８）を離して保持するために弾性杆（７，８）の突起（１７，１８）に対して支持するそれぞれの耳部（３５，３７）を備え、ケーシング部材（７１）にはそれらの長さの中間点において保持舌片（４６）用の受け台を形成するブリッジ（９１）により接続させた側壁（９０）を備えたことを特徴とする雌型電気接点部材を収容する電気コネクタ用ケーシング部材。
【請求項２】
係合部材（３０）には屈曲後隣接させるようにした２つの対向する長辺（３１，３２）の各々に形成しかつ第１部材の２つの弾性杆（７，８）間に開口するスロツト（１９）に挿入させるように内側に屈曲させた耳部（３６，３８）と、第１部材の屈曲後対向する端縁（５，６）を隣接させる中央の部分（１０）の一方の端縁（６）を切り出して形成した切欠部（１２）に挿入させるように内側に屈曲させる切り出し耳部（４７）とを備えたことを特徴とする請求項１に記載の雌型電気接点部材を収容する電気コネクタ用ケーシング部材。
【請求項３】
第１部材（１）には係合部材（３０）の内側面と協働する切り出し耳部（１５）を有する平らな底部（１０ａ）を備えたことを特徴とする請求項１に記載の雌型電気接点部材を収容する電気コネクタ用ケーシング部材。
【請求項４】
第１部材（１）の弾性杆（７，８）を係合部材（３０）の対応する端部の切欠部（３９）を貫通するリップ（２３，２４）で終端させたことを特徴とする請求項１に記載の雌型電気接点部材を収容する電気コネクタ用ケーシング部材。
【請求項５】
ケーシング部材（７１）の溝（７５）をその底部に雌型電気接点部材の形状に対応する刻印（７９）を有する開口部（８９）に開口させ、該開口部（８９）を雌型電気接点部材の挿入を制限するようにしかつ雄型電気接点部材用の孔（８１）を形成した端壁（８０）により閉止させ、更に前記開口部（８９）を前記刻印（７９）に対向する表面に雌型電気接点部材の形状に対応する刻印（１０３）を有する係止キー（１０２）の耳部（１０５，１０９）を案内するためにその内側面に溝（９３，９４，９５）を有する側壁（９０）により閉止し、係止キー（１０２）の刻印（１０３）が雌型電気接点部材の挿入を可能にするためにケーシング部材の底部における刻印（７９）から離れている準備位置に係止キーを保持しかつ雌型電気接点部材が所定位置にあるとき、該雌型電気接点部材が刻印（７９，１０３）間に把持される係止位置に向かって係止キーを移動させ手段を設けたことを特徴とする請求項１に記載の雌型電気接点部材を収容する電気コネクタ用ケーシング部材。
【請求項６】
ケーシング部材（７１）の側壁（９０）をそれらの長さの中間点において雌型電気接点部材の保持舌片（４６）用の受け台を形成するブリツジ（９１）により接続させたことを特徴とする請求項５に記載の雌型電気接点部材を収容する電気コネクタケーシング部材。
【請求項７】
ケーシング部材（７１）の各側壁（９０）にはその内側面に３つの溝（９３，９４，９５）を備え、中間の溝（９４）には通過することができる傾斜面を備えた受け台（９８）を備え、他方の２つの溝（９３，９５）には溝の底部に面している非傾斜側部を備えたフツク（９６，９９）を設け、係止キー（１０２）にはフツク（９６，９９）の非傾斜側部（９６ａ，９９ａ）および傾斜面（９８ａ，９８ｂ）を備えた受け台（９８）と協働するようにした耳部（１０５，１０９）および受け台（１０７）を２つの対向縁部に備え、前記フツク（９６，９９）、耳部（１０５，１０９）および受け台（９８，１０７）の位置を係止キーの耳部（１０５，１０９）がフツク（９６，９９）の非傾斜側部に対して支持するとき係止キーの受け台（１０７）が溝（９４）の受け台（９８）の傾斜面（９８ａ）に対して支持するように位置決めし、係止キーが準備位置にあり、係止キーの受け台（１０７）が溝（９４）の受け台（９８）を通過したとき、係止キーが係止位置にあるように位置決めしたことを特徴とする請求項５または６に記載の雌型電気接点部材を収容する電気コネクタ用ケーシング部材。
【請求項８】
ケーシング部材の溝（７５）にはそれらの入口側に長手方向溝（７７）に開口する２つのネジ山部分（７６）を備えたことを特徴とする請求項５ないし７のいずれか１項に記載の雌型電気接点部材を収容する電気コネクタ用ケーシング部材。
【請求項９】
ケーシング部材を溝（７５）に隣接した端部から溝（７５）と一直線上に整列させた孔（７４）を有するガスケツト（７３）を挿入したスカート（７２）により延伸させたことを特徴とする請求項８に記載の雌型電気接点部材を収容する電気コネクタ用ケーシング部材。
【請求項１０】
ケーシング部材には２つの対向側面上に各係止キー（１０２）を収容するようにした２つの開口部（８９）を備えたことを特徴とする請求項６に記載の雌型電気接点部材を収容する電気コネクタ用ケーシング部材。
【発明の詳細な説明】
【０００１】
【産業上の利用分野】
本発明は雌型電気接点部材を収容する電気コネクタ用ケーシング部材に関するものである。
【０００２】
【従来の技術】
従来この種の電気接点部材を収容する電気コネクタ用ケーシングはこれまで種々の形状が知られかつ実現されている。
【０００３】
【発明が解決しようとする課題】
しかしながら、これらの電気接点部材を収容する電気コネクタ用ケーシングにはさらに改善されるべき点が種々残されている。
【０００４】
本発明の目的は雄型部材を把持するようにした弾性クランプを有し、該クランプの弾性作用が第１部材に取付けられかつクランプの分岐部分を押圧する杆を有する係合部材により補強される雌型電気接点部材を提供することにある。
【０００５】
本発明の他の目的は製造が容易で、ケーシング部材内に容易に収納できかつ良好な電気接続を備える雌型電気接点部材を提供することにある。
【０００６】
本発明のその他の目的は雌型電気接点部材を収容するようにしかつ撤退可能な係止手段が雌型電気接点部材の挿入を容易にするために設けられ、これらの手段が該電気接点部材の偶発的な撤退に抗するために前記電気接点部材の挿入後係止される型式の電気コネクタ用ケーシング部材を提供することにある。
【０００７】
【課題を解決するための手段】
１つの態様において、本発明は、雌型電気接点部材が電気良導体であって多少の弾性を有する金属片から成形すべく切り出されかつ屈曲される第１部材からなり、該第１部材が一端にカシメ耳部を有しかつその他端において雄型電気接点部材を把持するためのクランプを形成するようにした２つの弾性杆により終端され、第１部材に固定されそして電気良導体であって多少の弾性を有する金属片から成形するために切り出しかつ屈曲させた係合部材を備え、該係合部材が第１部材を受容すべくなされかつ第１部材の弾性作用を強化すべく第１部材の弾性杆に対して支持すべくなされた２つの杆と第１部材のカシメ耳部に対向する自由端に保持舌片とを有し、雌型電気接点部材を収容するようにしたケーシング部材を備え、ケーシング部材が雌型電気接点部材を各々収容するようにした溝を有し、雌型電気接点部材を係止するための手段を設け、該係止手段を雌型電気接点部材を嵌合させることができる準備位置および雌型電気接点部材を不動にさせる係止位置とに移動可能とし、第１部材を円形断面とし、係合部材をも円形断面にし、第１部材の弾性杆を平らにしたことを特徴とする雌型電気接点部材を収容するケーシング部材にある。
【０００８】
この発明によれば、工具の顕著な変更なしに、平らな雄型部材または筒状雄型部材と協働し得る雌型電気接点部材を製造することが可能である。
【０００９】
本発明の特別な実施例において、係合部材は屈曲後隣接すべくなされた２つの対向縁部の各々に沿って第１部材の２つの弾性杆間に開口するスロツトに挿入させるように内側に屈曲させるようにした耳部と、表面の中間点において第１部材の屈曲後対向縁部と隣接すべくなされた第１部材の１縁部から第１部材の長手方向に沿って切り出された切欠部に挿入されるように内側に屈曲させるようにした切り出し耳部とを有している。。
【００１０】
本発明の特別な実施例において、第１部材は係合部材内側面と協働する切り出し耳部を有する平らな底部を備えている。
【００１１】
本発明の特別な実施例において、第１部材の弾性杆は係合部材の対応する端部の切欠部を貫通するリップで終端している。
【００１２】
本発明の特別な実施例において、係合部材はその自由端の近傍に少なくとも２つの角度的にずれた横方向の打ち出し部を有している。
【００１３】
本発明の特別な実施例において、係合部材は屈曲後隣接すべくなされた２つの対向側部の各々に第１部材の弾性杆の突起を離して保持するために弾性杆の対応する縁部の突起に対して支持するようにしたそれぞれの耳部を有している。
【００１４】
本発明の特別な実施例において、ケーシング部材の溝はその背部に雌型電気接点部材の形状に対応する刻印を有する開口部に開口し、該開口部が雌型電気接点部材の挿入を制限するようにしかつ雄型電気接点部材用の孔を有する端壁により形成され、更に前記開口部が刻印に向かい合うべくなされたその側部に雌型電気接点部材の形状に対応する刻印を有する係止キーを案内するために内側面に溝を有する側壁により形成され、その刻印が前記雌型電気接点部材の挿入を可能にするためにケーシング部材の底部において刻印から離れる準備位置に係止キーを保持し、そして雌型電気接点部材が嵌合されるとき、該雌型電気接点部材が刻印間に把持される係止位置に向かって係止キーを移動するための手段を設けてある。
【００１５】
側壁は好ましくはそれらの長さの中間点において雌型電気接点部材の保持フラツプ用受け台を形成するブリツジにより接合されている。
【００１６】
本発明の特別な実施例において、各側壁はその内側面に３つの溝を有し、中間の溝が通過することができるように傾斜路面を備えた受け台を有し、それに対して、他方の２つの溝が溝底部に面している非傾斜側部を備えたフツクを含み、係止キーはフツクの非傾斜側部および傾斜路面を備えた受け台と協働すべくなされた２つの対向縁部に耳部を有し、前記フツク、耳部および受け台の位置は耳部がフツクの非傾斜側部に対して支持するとき係止キーの受け台が溝の受け台の傾斜面に対して支持するようになつており、係止キーが準備位置にあり、係止キーの受け台が溝の受け台を通過したとき、係止キーが係止位置にあるように位置決めされている。
【００１７】
本発明の特別な実施例において、溝は長手方向溝に開口しているそれらの入口に２つのネジ山部分を有している。
【００１８】
したがつて、雌型電気接点部材が、例えば長方形断面または正方形断面を有する平らな雄型部材を収容するような平らな弾性杆を備えるとき、雌型部材が雄型部材の挿入に矛盾のない角度位置を有することは確実である。
【００１９】
本発明の特別な実施例において、ケーシング部材は溝と一直線上に整列させた孔を有するガスケツトが挿入されるスカートにより溝に隣接した端部において延伸している。
【００２０】
雌型部材が、略筒状形状が付与されるケーシング部材に挿入されるとき、ガスケツトを損傷する危険がない。
【００２１】
本発明の特別な実施例において、ケーシング部材は２つの対向側部でかつ各々係止キーを収容するようにした２つの開口部を有している。
【００２２】
以下に、本発明を添付図面に示した実施例について詳細に説明する。
【００２３】
【実施例】
図１ないし図６に示した電気接点部材の第１部材は電気良導体であって多少の弾性を有する金属片から所定の形状に切り出されかつ屈曲されている。
【００２４】
第１部材は一端で絶縁された導電体を把持するようにした２つのカシメ耳部２を有する。該耳部２の近くには導電体の剥き出し部分を把持するようにした１対の第２カシメ耳部３が備えられている。
【００２５】
耳部２と反対の端部において第１部材１は平らな舌片の形状の雄型導体を把持するためのクランプ９を形成するようにした２つの弾性杆７，８を有している。
【００２６】
弾性杆７および８と耳部３との間には部分１０および部分４とが備えられている。
【００２７】
部分１０はその端縁５および６が隣接する２つの円弧部分により延伸された平らな底部１０ａを備えた本体を形成するために丸め加工され、端縁６は切欠部１２を有している。
【００２８】
部分４は補強リブ１６および平らな底部１０ａの外側面から突出する耳部１５を含む輪郭を有している。
【００２９】
平らな底部１０ａは弾性杆７および８と同じ端部にスロツト１９を有する。前記杆７および８は平らな底部１０ａに対面する突起１７および１８をそれぞれ有している。
【００３０】
杆７および８は接触点を形成するように屈曲されており、その接触点に突出部２０が形成されている。
【００３１】
杆７の自由端は外側リップ２３を有し、杆８の自由端は対応する外側リップ２４を有している。
【００３２】
図７ないし図１６は第１部材１に取付けられるようにした係合部材を示す。
【００３３】
係合部材３０は電気良導体であって多少弾性を有する金属片から一定形状に切り出されかつ屈曲されている。
【００３４】
金属片から切り出された際のブランクは２つの長い側辺３１および３２と２つの短い側辺３３および３４を備えたはば矩形形状を有している。
【００３５】
長い側辺３１は２つの耳部３５および３６を形成するスロツトを有している。長い側辺３２は対応する耳部３７および３８を有している。
【００３６】
短い側辺３４は受け台４１，４２および４３を形成する２つの大きな切欠部３９を有している。
【００３７】
短い側辺３４の近くには側面に突出部を形成するようにした２つの円形の打ち出し部４５及び４８を形成してある。
【００３８】
保持舌片４６の１端部の近くには耳部４７を形成してある。
【００３９】
２つの杆４９および５０は弾性杆７および８の弾性作用を補強する。
【００４０】
係合部材３０は２つの長い側辺３１および３２を隣接させてシリンダを形成すべく丸み加工されている。
【００４１】
図１７ないし図２３は２つの部材１および３０の嵌合および接合を示す。
【００４２】
係合部材３０は耳部３６および３８がスロツト１９に挿入されかつ耳部４７が切欠部１２により形成されたスロツトに係合されるように第１部材１の対応する端部上に嵌合されている。
【００４３】
この位置において杆５０は杆８に対して支持しかつ杆４９は杆７と協働する。
【００４４】
耳部３５および３７は突起１７，１８の互いに対面する側部に対して支持するように内側に屈曲されており、外側リップ２３および２４は切欠部３９に向かい合って配置されている。
【００４５】
受け台４１および４２は雄型舌片を挿入するのに有効な空間の幅を制限しかつ必要以上に大きい舌片の挿入を妨害する。
【００４６】
耳部１５は平らな底部１０ａと係合部材３０との間に遊びを設けるように係合部材の内側面に対して当接する。
【００４７】
切欠部３９の深さは弾性杆７および８の運動の範囲を定めることにより受け台４１および４２を補足する。
【００４８】
突起１７および１８と協働して、耳部３５および３７は雄型舌片の挿入を容易にするように弾性杆７および８を分離する。
【００４９】
図２４ないし図３５は前の図に関して説明したような電気接点部材を収容するようにしたケーシング部材７１を示す。
【００５０】
ケーシング部材７１は一端においてガスケツト７３を収容するようにしたスカート７２により延伸しており、該ガスケット７３は波形の側面を有する一連の孔７４を有する可撓性の弾性ブロツクから構成されており、各孔７４は溝７５と対面している。
【００５１】
各溝７５の入口は２つのネジ山部分７６を有し、各々１８０°の角度に内在しかつ各々長手方向溝７７に案内されている。各溝７５は開口部８９に開口しており、開口部８９の底部には刻印７９が備えられている。図示した本発明の実施例において６つの刻印７９があり、３つは１側に面しておりかつ３つは反対側に面していて、これらの刻印７９はケーシング部材７１を収容するようにした係合ケーシング部材８３に固定された平らな雄部材８２用の孔８１を有する端壁８０により閉止されている。
【００５２】
ケーシング部材７１は係合ケーシング部材８３の延長部８７に挿入されたガスケツト８６を保持するようにした２つの玉縁８４および８５を有する。
【００５３】
端壁８０は２つの側壁９０に取付けられ、２つの側壁９０は玉縁８５に取付けられている。
【００５４】
側壁９０は各端部でその壁８０に面している側部が保持舌片４６用の受け台を構成するブリツジ９１により接続されている。
【００５５】
側壁９０はそれらの内側面に溝９３，９４および９５を有している。
【００５６】
保持フツク９６は溝９５内における各端部に非傾斜側部９６ａを備え、該非傾斜側部９６ａはそれぞれの溝９５の内側に向かって互いに対面している。
【００５７】
受け台９８は溝９４の端部近くに設けられ、２つの傾斜面９８ａおよび９８ｂを有している。これらの受け台９８は保持フツク９６に対して溝の内側に向かってずれている。
【００５８】
溝９３は各端部において非傾斜側部９９ａが溝９３の内側に面するフツク９９を有している。
【００５９】
各刻印７９は本発明による電気接点部材の第１実施例の形状である。端壁８０の近傍の溝１０１は溝７７を延長している。
【００６０】
２つの係止係止キー１０２が設けられている。各係止キー１０２は電気接点部材と協働しかつそれらを不動にすることができるように刻印７９に対応する３つの刻印１０３を有している。
【００６１】
各係止キー１０２は２つの対向長手方向縁部に沿って溝９５と協働するようにした耳部１０５と、溝９４に挿入させるようにした受け台１０７と、溝９３内に案内させるようにした耳部１０９とを有する。
【００６２】
各耳部１０５は保持フツク９６の対応する非傾斜側部９６ａと対向の方向に面している非傾斜側部１０５ａを有している。
【００６３】
受け台１０７は受け台９８と同一の形状であり、傾斜面１０７ａおよび１０７ｂを有している。耳部１０９は非傾斜側部９９ａと対向方向に面している非傾斜側部１０９ａを有している。２つの対向側部の２つの耳部１０９間の各係止キー１０２の部分は凹状部分１１１により接続されている歯１１２を有している。
【００６４】
係止キー１０２は２つの位置、すなわち準備位置および係止位置を有する。
【００６５】
図２７、図２９、図３１、図３３および図３４は準備位置を示す。図２８、図３０、図３２および図３５は係止位置を示す。
【００６６】
電気接点部材をまず孔７４に挿入させる。電気接点部材は筒状外部形状のため、ガスケツトの孔７４の側壁を損傷させない。突出部４５は該突出部４５が溝７７と一直線になるように電気接点部材の角度位置を自動的に変更する２つのネジ山部分７６に遭遇する。電気接点部材はその自由端を端壁８０に当接する（図３０）まで押し込まれる。この位置において保持舌片４６（接点部材がまず挿入されるとき弾力的に撤退される）が突出しかつブリツジ９１に対して当接することにより前記電気接点部材の撤退を妨害する。突出部４５の一方は部材が長方形断面または正方形断面を持つことができる平らな雄型部材８２を収容するために正しい角度位置に保持されるように溝１０１内に案内される。
【００６７】
雌型電気接点部材を嵌合するとき、係止キー１０２は準備位置に残され、その位置において耳部１０９はフツク９９を超えており、かつ耳部１０５は同様に係止キーが偶発的に分離され得ないようにフツク９６を超えて通過している（図３２、図３４を参照）。他方において、受け台１０７の傾斜面１０７ｂは受け台９８の傾斜面９８ａに対して支持し（図３６参照）、そこで対応する刻印７９から離れて係止キー１０２の刻印１０３を保持する。
【００６８】
雌型電気接点部材がすべて嵌合されたとき、２つの係止キー１０２は受け台１０７が受け台９８を通過するように押し下げられる。この位置において雌型電気接点部材は捕捉され、ブリツジ９１と玉縁８５との間の歯１１２が耳部３に隣接する第２部材３０の縁部との協働により前記電気接点部材の撤退を妨害する受け台を形成するように部分４の両側の位置を取る。
【００６９】
もちろん、本発明は図示した実施例に限定するものではなく、細部の種々の変更が本発明の範囲から逸脱することなく行うことができる。
【００７０】
【発明の効果】
本発明は上述した構成であるから、雄型部材を把持する弾性クランプの弾性作用を増大させることができるので雄型部材を確実かつ堅固に把持することができ、雌型電気接点部材をケーシング部材内に容易かつ確実に収納でき、良好な電気接続が備えられ、収納後は確実に係止することができる。
【図面の簡単な説明】
【図１】本発明の電気接点部材の第１部材用のブランクの平面図である。
【図２】図１に示したブランクから形成した電気接点部材の第１部材の正面図である。
【図３】図２に示した電気接点部材の平面図である。
【図４】図２に示した電気接点部材の底面図である。
【図５】図２の５−５線の断面図である。
【図６】図５の６−６線の断面図である。
【図７】電気接点部材の係合部材のブランクの平面図である。
【図８】図７に示したブランクから形成した係合部材の上面図である。
【図９】図８に示した係合部材の正面図である。
【図１０】図８に示した係合部材の底面図である。
【図１１】図８に示した係合部材の背面図である。
【図１２】図９の１２−１２線の断面図である。
【図１３】図１２の１３−１３線の断面図である。
【図１４】図１０の１４−１４線の断面図である。
【図１５】図１２の１５−１５線の断面図である。
【図１６】図１２の１６−１６線の断面図である。
【図１７】組み立てられた２つの部材を備えた電気接点部材の正面図である。
【図１８】図１７に示した電気接点部材の平面図である。
【図１９】図１７の１９−１９線の断面図である。
【図２０】図１９の２０−２０線の断面図である。
【図２１】図１８の２１−２１線の断面図である。
【図２２】図１９の２２−２２線の断面図である。
【図２３】図１９の２３−２３線の断面図である。
【図２４】電気接点部材を収容するようにしたケーシング部材の正面図である。
【図２５】図２４の３０−３０線の断面図である。
【図２６】係止キーの１つを係止位置において示す図２５に対応する断面図である。
【図２７】係止キーを準備位置において示す図２４の３２−３２線の断面図である。
【図２８】係止された係止キーを示す図２７に対応する断面図である。
【図２９】図２４の３４−３４線の断面図である。
【図３０】係止された係止キーを示す図２９に対応する断面図である。
【図３１】図２４の３６−３６線の断面図である。
【図３２】係止された係止キーを示す図３１に対応する断面図である。
【図３３】図２４の３８−３８線の断面図である。
【図３４】図２４の３９−３９線の断面図である。
【図３５】係止された係止キーを示す図３４に対応する断面図である。
【符号の説明】
１        第１部材
２        耳部
３        カシメ耳部
４        部分
７        弾性杆
８        弾性杆
９        クランプ
１０      部分
１７      突起
１８      突起
１９      スロツト
２０      突出部
３０      係合部材
３０ａ    第２部材
３５      耳部
３６      耳部
３７      耳部
４１      受け台
４２      受け台
４６      保持舌片
４７      耳部
４９      杆
５０      杆
５５      第１部材（電気接点部材）
５６      カシメ耳部
５７      カシメ耳部
６０      部分
６４      弾性杆
６５      弾性杆
７０      雄型部材
７１      ケーシング部材
７２      スカート
７３      ガスケツト
７５      溝
７９      刻印
８０      端壁
８３      係合ケーシング部材
９１      ブリツジ
１０１    溝
１０２    係止キー
１０５ａ  非傾斜側部
【図１】
0003549270.tif 000002
【図２】
0003549270.tif 000003
【図３】
0003549270.tif 000004
【図４】
0003549270.tif 000005
【図５】
0003549270.tif 000006
【図６】
0003549270.tif 000007
【図７】
0003549270.tif 000008
【図８】
0003549270.tif 000009
【図９】
0003549270.tif 000010
【図１０】
0003549270.tif 000011
【図１１】
0003549270.tif 000012
【図１２】
0003549270.tif 000013
【図１３】
0003549270.tif 000014
【図１４】
0003549270.tif 000015
【図１５】
0003549270.tif 000016
【図１６】
0003549270.tif 000017
【図１７】
0003549270.tif 000018
【図１８】
0003549270.tif 000019
【図１９】
0003549270.tif 000020
【図２０】
0003549270.tif 000021
【図２１】
0003549270.tif 000022
【図２２】
0003549270.tif 000023
【図２３】
0003549270.tif 000024
【図２４】
0003549270.tif 000025
【図２５】
0003549270.tif 000026
【図２６】
0003549270.tif 000027
【図２７】
0003549270.tif 000028
【図２８】
0003549270.tif 000029
【図２９】
0003549270.tif 000030
【図３０】
0003549270.tif 000031
【図３１】
0003549270.tif 000032
【図３２】
0003549270.tif 000033
【図３３】
0003549270.tif 000034
【図３４】
0003549270.tif 000035
【図３５】
0003549270.tif 000036